(57)【要約】      （修正有）【課題】照明、温度、音響等の効果を制御でき、遠距離から室内雰囲気状況を制御でき、火災の様な緊急事態発生の場合、直ちに普通の音響、光効果を中断して警告照明と警告音響効果を生み出すことが可能である室内雰囲気の創造システムを提供する。【解決手段】室内雰囲気の創造システムは、マイクロプロセッサーを具備し、センサー回路、保存メモリ及び分配ユニットに電気的に接続する。分配ユニットは雰囲気伝送回路を接続し、マイクロプロセッサーは保存メモリの室内雰囲気状況を分配ユニットにより雰囲気伝送回路に伝送し、雰囲気伝送回路が制御する室内雰囲気状況は音響状態、照明状態、温度状態に区分する。【選択図】図１
0003166460.tif 000002
【実用新案登録請求の範囲】
【請求項１】
設定した室内雰囲気状況の保存と読込のための保存メモリと、
前記保存メモリの室内雰囲気状況にアクセスすると共に外部からの室内雰囲気状況を受信するマイクロプロセッサーと、
室内雰囲気状況の設定を受信或いは手動調整し、且つ調整した室内雰囲気状況を前記マイクロプロセッサーに伝送するためのデータ受信ユニットと、
前記マイクロプロセッサーが伝送する室内雰囲気状況を受信し、室内雰囲気状況を少なくとも音響状態、照明状態、温度状態の信号に区分するための分配ユニットと、
前記分配ユニットが伝送する音響状態、照明状態、温度状態の信号を受信し、これに対応する雰囲気効果を生み出すための雰囲気伝送回路とを含み、
前記雰囲気伝送回路は照明装置、温度装置及び音響装置を接続することを特徴とする室内雰囲気の創造システム。
【請求項２】
前記室内雰囲気の創造システムがさらに外部装置からの室内雰囲気状況を受信する接続ポートを設置し、前記接続ポートはUSB（UNIVERSAL SERIAL BUS）、無線USB、IEEE1394接続ポート、同軸ケーブル接続端、オーディオ入力端、映像入力端、イーサネット（登録商標）接続端或いはメモリスロットの何れか一つであることを特徴とする請求項１に記載する室内雰囲気の創造システム。
【請求項３】
前記室内雰囲気の創造システムのマイクロプロセッサーは、雰囲気効果を検知して室内雰囲気状況を生み出し前記マイクロプロセッサーに伝送するためのセンサー回路をさらに接続し、前記センサー回路は少なくとも１個または1個以上の光センサー、温度センサー或いは音響センサーを含むことを特徴とする請求項１に記載する室内雰囲気の創造システム。
【請求項４】
前記室内雰囲気の創造システムの雰囲気伝送回路は照明装置、温度装置及び音響装置の内部に設置されることを特徴とする請求項１に記載する室内雰囲気の創造システム。
【請求項５】
前記照明装置は壁ランプ、吊り下げ式ランプ、卓上スタンド、フロアスタンド、電気スタンド、ベッドスタンド又は室内照明用ランプの何れか一つで、前記温度装置は扇風機、除湿器、窓型エアコン、セパレートエアコン、箱形エアコン或いは室内エアコンの何れか一つで、前記音響装置はホームシアター、卓上型ステレオ、ベッドステレオ、ＣＲＴテレビ、液晶テレビ、マルチメディア用プレーヤー或いは室内用マルチメディア出力装置の何れか一つであることを特徴とする請求項４に記載する室内雰囲気の創造システム。
【請求項６】
前記分配ユニットは前記照明状態を前記雰囲気伝送回路から前記照明装置に伝送して前記照明装置に対応する雰囲気照明効果を生み出し、前記分配ユニットは前記温度状態を前記雰囲気伝送回路から前記温度装置に伝送して前記温度装置に対応する雰囲気温度効果を生み出し、前記分配ユニットは音響状態を雰囲気伝送回路から前記音響装置に伝送して前記音響装置に対応する雰囲気音響効果を生み出し、火災の様な緊急事態発生の場合、本システムは直ちに普通の音響、光効果を中断して警告照明と警告音響効果を生み出すことが可能であることを特徴とする請求項４に記載する室内雰囲気の創造システム。
【請求項７】
前記室内雰囲気の創造システムのデータ受信ユニットは壁用スイッチ、つまみスイッチ、押しボタン、スライド式スイッチ、キーボード或いはタッチ式パネル、赤外線リモコンの何れか一つであることを特徴とする請求項１に記載する室内雰囲気の創造システム。
【請求項８】
前記室内雰囲気の創造システムはさらに電力の使用効果を管理できる電源管理回路を設置することを特徴とする請求項１に記載する室内雰囲気の創造システム。
【請求項９】
前記室内雰囲気の創造システムの保存メモリ或いは保存装置はメモリカード、ハードディスク、フラッシュ・メモリー、CD-RＷ、RAMの何れか一つであることを特徴とする請求項１に記載する室内雰囲気の創造システム。
【請求項１０】
前記マイクロプロセッサー、分配ユニット及び雰囲気伝送回路はワンチップ、CPLD（Complex Programmable Logic Device）、DSP、FPGA（Filed Programmable Gate Array）、PLC（Programmable Logic Controller）、DMX512の何れか一つであることを特徴とする請求項１に記載する室内雰囲気の創造システム。
【請求項１１】
前記室内雰囲気の創造システムはさらに外部から入力する室内雰囲気状況を受信するワイヤレス回路を設置し、前記ワイヤレス回路はブルートゥース（登録商標）、Wi-Fi（WIRELESS FIDELITY）、赤外線、RF-ID（RADIO FREQUENCY-IDENTIFICATION）又は802.11、802.15の関連するワイヤレス伝送インターネット・プロトコルの何れか一つであることを特徴とする請求項１に記載する室内雰囲気の創造システム。
【請求項１２】
前記ワイヤレス回路はさらに外部無線リモコンから伝送される室内雰囲気状況を受信することができ、前記無線リモコンは、
設定した室内雰囲気状況の保存と読込のための保存メモリと、
前記保存メモリの室内雰囲気状況にアクセスすると共に外部からの室内雰囲気状況を受信するマイクロプロセッサーと、
室内雰囲気状況の設定を調整し、且つ調整した室内雰囲気状況を前記マイクロプロセッサーに伝送するためのデータ受信ユニットと、
前記マイクロプロセッサーから伝送される室内雰囲気状況を受信し、室内雰囲気状況を少なくとも音響状態、照明状態、温度状態に区分するための分配ユニットと、
前記分配ユニットが伝送する音響状態、照明状態、温度状態を受信し、それらを前記室内雰囲気の創造システムに伝送するワイヤレス回路とを含み、前記ワイヤレス回路はブルートゥース、Wi-Fi（WIRELESS FIDELITY）、赤外線、RF-ID（RADIO FREQUENCY-IDENTIFICATION）又は802.11、802.15の関連するワイヤレス伝送インターネット・プロトコルの何れか一つで、前記保存メモリはメモリカード、ハードディスク、フラッシュ・メモリー、CD-RW、RAMの何れか一つで、前記マイクロプロセッサーと分配ユニットは、ワンチップ、DSP、CPLD（Complex Programmable Logic Device）、FPGA（Filed Programmable Gate Array）、PLC（Programmable Logic Controller）、DMX512、DALI(digital addressable lighting interface)或いはX10(industrial standard)の何れか一つであることを特徴とする請求項１１に記載する室内雰囲気の創造システム。
【考案の詳細な説明】
【技術分野】
【０００１】
本考案は室内雰囲気の創造システムの提供に関し、特にユーザーが設定する雰囲気モードに基づいて、照明、温度及び音響等効果を制御できるシステムに関する。
【背景技術】
【０００２】
従来の灯りはその多くが照明用であり、雰囲気作りという効果に欠け、各照明間には関連性や整合性に欠け、制御方法もオン/オフ状態のみしかないため、異なる照明器具及び照明の明暗、色彩変化及び冷暖色による温度感覚について全体的な組合せがなかった。
しかし生活の質の向上に伴い、現代人は照明環境において雰囲気によって照明装置を換えることができるニーズがあり、また、総合制御及び施工に便利なように、ワイヤレス伝送方式で各照明器具システムを統合できる必要性が生じた。
【考案の概要】
【考案が解決しようとする課題】
【０００３】
本考案の主要目的は、室内雰囲気の創造システムがマイクロプロセッサーを具備し、センサー回路、保存メモリ及び分配ユニットに電気的に接続し、分配ユニットは雰囲気伝送回路を接続し、マイクロプロセッサーは保存メモリの室内雰囲気状況を分配ユニットから雰囲気伝送回路に伝送し、雰囲気伝送回路が制御する室内雰囲気状況は音響状態、照明状態、温度状態に分けると共に、照明、温度、音響装置に対応する雰囲気効果を生み出し、ひいてはユーザーが設定する雰囲気モードに従って、同時に照明、温度、音響等の効果を制御できることにある。
火災の様な緊急事態発生の場合、本システムは直ちに普通の音響、光効果を中断して警告照明と警告音響効果を生み出すことが可能である。雰囲気伝送回路は音響状態、照明状態及び温度状態によりこれに対応する照明、温度及び音響システムを制御する。
【０００４】
本考案の副次的目的は、室内雰囲気の創造システムがマイクロプロセッサーと電気的に接続するワイヤレス回路を設けて、外部の無線リモコンが伝送する室内雰囲気状況を受信できることにある。
【０００５】
本考案のさらなる目的は、室内雰囲気の創造システムのマイクロプロセッサーがデータ受信ユニットと電気的に接続し、データ受信ユニットは主として室内雰囲気状況の音響状態、照明状態並びに温度状態に対して受信を行うことができ、調整後の室内雰囲気状況はマイクロプロセッサーから分配ユニットへ伝送され、雰囲気伝送回路が出力した音響状態、照明状態並びに温度状態を変更することにある。
【０００６】
本考案のまたの目的は、室内雰囲気の創造システムのマイクロプロセッサーが接続ポートを電気的に接続し、接続ポートが主に外部装置に接続することができ、上記技術によって本考案の室内雰囲気の創造システムは外部装置の室内雰囲気状況と相互に伝送できることにある。
【０００７】
本考案の別の目的は、室内雰囲気の創造システムのマイクロプロセッサーが電源管理回路を電気的に接続し、電源管理回路が室内雰囲気の創造システムの各部材の電気節約モデルを設定することができることにある。
【課題を解決するための手段】
【０００８】
本考案は、設定した室内雰囲気状況の保存と読込のための保存メモリと、前記保存メモリの室内雰囲気状況にアクセスすると共に外部からの室内雰囲気状況を受信するマイクロプロセッサーと、室内雰囲気状況の設定を受信或いは手動調整し、且つ調整した室内雰囲気状況を前記マイクロプロセッサーに伝送するためのデータ受信ユニットと、前記マイクロプロセッサーが伝送する室内雰囲気状況を受信し、室内雰囲気状況を少なくとも音響状態、照明状態、温度状態の信号に区分するための分配ユニットと、前記分配ユニットが伝送する音響状態、照明状態、温度状態の信号を受信し、これに対応する雰囲気効果を生み出すための雰囲気伝送回路とを含み、前記雰囲気伝送回路は照明装置、温度装置及び音響装置を接続することを特徴とする室内雰囲気の創造システムを提供する。
【図面の簡単な説明】
【０００９】
【図１】本考案の好ましい実施例のブロック図一である。
【図２】本考案の好ましい実施例のブロック図二である。
【図３】本考案の別途好ましい実施例のブロック図一である。
【図４】本考案の別途好ましい実施例のブロック図二である。
【図５】本考案のまた別途好ましい実施例のブロック図である。
【考案を実施するための形態】
【００１０】
上記の目的及び効果を達成するために、本考案が採用する技術方法及び構造は、図面作成の上本考案の好ましい実施例に基づきその特徴並びに効能を下記の通り詳細に説明する。
【実施例】
【００１１】
図１、図２は本考案の好ましい実施例のブロック図一、二であり、図からは下記の内容がはっきりと見て取れる。
【００１２】
本考案の雰囲気創造システム１は、
主として現在の周囲の雰囲気効果を検知すると共に、雰囲気データを作成し、また１個又は１個以上の光線センサー１００、温度センサー１０１及び音響センサー１０２を少なくとも含み、これにより照明色、照明強度、温湿度の高低、音響タイプ等を含む雰囲気データを作成するセンサー回路１０と、
主として設定済みの室内雰囲気状況にアクセスすると共に、外部に室内雰囲気状況の関連設定を受信並びに送信し、また前記雰囲気データは照明色、照明強度、発光する照明器具の種類、温湿度の高低、音響タイプ等を含み、同時に本考案の前記部材間でデータ伝送や処理などの制御を行うマイクロプロセッサー１１｛DSP（digital signal processor）｝を含む)と、
予め設定した室内雰囲気状況を保存し、新たに増やしたり、削除したり、室内雰囲気状況を変更したりすることができ、またメモリーカード、ハードディスク、フラッシュ・メモリー、CD-RW、RAMの何れか一つである保存メモリ１２と、
主として室内雰囲気状況を出力すると共に、室内雰囲気状況を少なくとも音響状態、照明状態及び温度状態等の雰囲気データに区分する分配ユニット１３と、
主として音響状態、照明状態及び温度状態等の雰囲気データを受信すると共に、照明装置１４０、温度装置１４１及び音響装置１４２にこれに対応する雰囲気効果を創り出して、直接照明装置１４０、温度装置１４１及び音響装置１４２内部に設置し、伝送線、導線等によって照明装置１４０、温度装置１４１及び音響装置１４２に接続し、且つ照明装置１４０が壁ランプ、吊り下げ式ランプ、卓上スタンド、フロアスタンド、電気スタンド、ベッドスタンド又は室内照明用ランプの何れか一つであって、温度装置１４１が扇風機、除湿機、窓型クーラー、セパレートクーラー、箱型クーラー又は室内エアコンの何れか一つであって、また、音響装置１４２がホームシアター、卓上型ステレオ、CRTテレビ、液晶テレビ、マルチメディア用プレーヤー又は室内用マルチメディア出力装置何れか一つである雰囲気伝送回路１４と、
室内雰囲気状況を手動又は自動設定するのに使用し、且つ調整した室内雰囲気状況を伝送し、壁用スイッチ、つまみスイッチ、押しボタン、スライド式スイッチ、キーボード或いはタッチ式パネル、赤外線リモコンの何れか一つであるデータ受信ユニット１５と、
主として外部装置に接続して外部装置と室内雰囲気の創造システム１の室内雰囲気状況を相互に伝送でき、USB(UNIVERSAL SERIAL BUS)、無線USB、IEEE1394(INSTITUTE OF ELECTRICAL AND ELECTRONICS ENGINEERS 1394)接続ポート、同軸ケーブル接続端若しくはイーサネット（登録商標）接続端又はメモリスロットの何れか一つである接続ポート１６からなる。
【００１３】
上記のマイクロプロセッサー１１、分配ユニット１３及び雰囲気伝送回路１４はワンチップ、CPLD(Complex Programmable Logic Device)、DSP、FPGA(Filed Programmable Gate Array)、PLC(Programmable Logic Controller)若しくはアクティブ/パッシブ素子組合せの電子回路の何れか一つであり、また前記分配ユニット２３はさらにDMX512、DALI(digital addressable lighting interface)又はX10(industrial standard)であり、DMX512はアメリカ劇場技術協会(USITT)が制定した専ら舞台照明制御台と調光器の間のデータ通信に用いられる協定標準で、その後コンピュータ用ランプ、色彩交換装置等多様な舞台設備の制御分野に拡大し、DMX512は制御台が標準デジタルにより調光器を接続制御する方式であり、簡便で信頼がおける等の特性を具えており、調光器とする他にも良好な制御設備であり、また前記センサー回路１０もさらに移動センサーやガスセンサーを接続でき、移動センサーは実際の環境における人員移動を検知することができると共に、さらに人員移動のパラメーターを提供する一方、ガスセンサーは環境中のガス漏れの有無を検知できることで居住安全の向上が図れる。
【００１４】
上記部材で、マイクロプロセッサー１１はそれぞれセンサー回路１０、保存メモリ１２、分配ユニット１３、データ受信ユニット１５及び接続ポート１６に接続し、上記の部材が作動すると、主にデータ受信ユニット１５が必要な室内雰囲気状況を受信すると共に選択して、マイクロプロセッサー１１が保存メモリ１２の内部から選択した室内雰囲気状況を分配ユニット１３に伝送し、分配ユニット１３は室内雰囲気状況を音響状態、照明状態及び温度状態に区分して雰囲気伝送回路１４に伝送すると、雰囲気伝送回路１４は照明状態を照明装置１４０へ伝送し、温度状態を温度装置１４１へ伝送し、また音響状態を音響装置１４２へ伝送して、照明装置１４０がそれに対応する雰囲気照明効果を生み出し、温度装置１４１がそれに対応する雰囲気温度効果を生み出し、そして音響装置１４２がそれに対応する雰囲気音響効果を生み出す。
【００１５】
同時に、センサー回路１０の光センサー１００、温度センサー１０１及び音響センサー１０２は随時現在の室内雰囲気状況を測定して、照明色、照明強度、温湿度の高低、音響タイプ等の雰囲気データをセンサー回路１０よりマイクロプロセッサー１１へ伝送し、またマイクロプロセッサー１１が室内雰囲気状況の比較を行って、随時実際の環境における室内雰囲気状況を修正し、また分配ユニット１３は随時雰囲気伝送回路１４が接続する照明装置１４０、温度装置１４１、音響装置１４２に対して微調整を行って、ベストな室内雰囲気状況を維持することができる。
【００１６】
また、室内雰囲気状況はデータ受信ユニット１５により手動又は自動受信を行って変更することができ、主に室内雰囲気状況の音響状態、照明状態及び温度状態を受信し、データ受信ユニット１５は受信後の室内雰囲気状況をマイクロプロセッサー１１に伝送し、分配ユニット１３は雰囲気伝送回路１４が出力した音響状態、照明状態及び温度状態を変更し、接続する照明装置１４０、温度装置１４１、音響装置１４２を変更後の室内雰囲気状況に応じてこれに対応する効果を生み出し、さらに調整後の室内雰囲気状況はセンサー回路１０が雰囲気データの収集を行い、光センサー１００、温度センサー１０１及び音響センサー１０２が現在の照明色、照明強度、温湿度の高低、音響タイプ等の雰囲気データをセンサー回路１０よりマイクロプロセッサー１１へ伝送した上で、マイクロプロセッサー１１が修正後の音響状態、照明状態及び温度状態を保存メモリ１２内に書き込んで、新しい環境状態が生み出せるのである。
【００１７】
さらに、室内雰囲気の創造システム１はUSB(UNIVERSAL SERIAL BUS)、メモリスロット等のような接続ポート１６を通じて、フラッシュディスク又はメモリカードと接続することができ、また接続ポート１６がUSB(UNIVERSAL SERIAL BUS)、無線USB接続ポートであると、直接パソコン、ノートパソコン、PDA等の装置に接続でき、また接続ポート１６がIEEE1394号接続ポート、ケーブル又はイーサネット接続端であると、LANやインターネットを経由してパソコン、ノートパソコン、PDA等の装置に接続でき、上記の方法により上記外部装置と保存メモリ１２が雰囲気データを伝送する。
【００１８】
図３、図４は、本考案の別途好ましい実施例のブロック図一と二であり、図から下記の内容がはっきりと分かる。本考案の室内雰囲気の創造システム１はさらにマイクロプロセッサー１１と電気的に接続するワイヤレス回路１７を設置し、外部の無線リモコン２が伝送する室内雰囲気状況を受信する。
前記無線リモコン２は、
室内雰囲気状況の設定を手動又は自動調整し、且つ調整した室内雰囲気状況を伝送し、また、つまみスイッチ、押しボタンスイッチ、スライド式スイッチ、キーボード或いはタッチ式パネル、赤外線リモコンの何れか一つであるデータ受信ユニット１５と、
主として設定済みの室内雰囲気状況にアクセスすると共に、外部と室内雰囲気状況の関連設定を受信並びに送信し、また前記雰囲気データは照明色、照明強度、発光する照明器具の種類、温湿度の高低、音響タイプ等を含み、同時に無線リモコン２の前記部材間でデータ伝送や処理などの制御を行うマイクロプロセッサー２１と、
主として予め設定した室内雰囲気状況を保存し、また新たに増やし、削除し、又は既存の室内雰囲気状況を変更することができ、メモリカード、ハードディスク、フラッシュ・メモリー、CD-RW、RAMの何れか一つである保存メモリ２２と、
主として手動又は自動で室内雰囲気状況を受信すると共に、室内雰囲気状況を少なくとも音響状態、照明状態、温度状態等の雰囲気データに区分するための分配ユニット２３と、
主として音響状態、照明状態、温度状態の室内雰囲気状況が室内雰囲気の創造システム１に伝送されるワイヤレス回路２４とを含む。
【００１９】
上記のマイクロプロセッサー２１、分配ユニット２３及びワイヤレス回路１７、２４はワンチップ、CPLD(Complex Programmable Logic Device)、DSP、FPGA(Filed Programmable Gate Array)、PLC(Programmable Logic Controller)であり、また前記ワイヤレス回路１７、２４はブルートゥース（登録商標）、Wi-Fi(WIRELESS FIDELITY)、赤外線、RF-ID(RADIO FREQUENCY-IDENTIFICATION)若しくは802.11、802.15の何れか一つで、また前記分配ユニット２３はさらにDMX512、DALI(digital addressable lighting interface)又はX10(industrial standard)であり、DMX512はアメリカ劇場技術協会(USITT)が制定した専ら舞台照明制御台と調光器の間のデータ通信に用いられる協定標準である。
【００２０】
同時に図２を参照すると、図２は本考案の好ましい実施例のブロック図二であり、上記部材で、マイクロプロセッサー２１はそれぞれデータ受信ユニット１５、保存メモリ２２及び分配ユニット２３に接続し、また分配ユニット２３はワイヤレス回路２４に接続しており、上記部材が作動すると、主にデータ受信ユニット１５が必要な室内雰囲気状況を受信し、マイクロプロセッサー２１は保存メモリ１２内より、選択した室内雰囲気状況を分配ユニット２３に伝送すると、分配ユニット２３は室内雰囲気状況を音響状態、照明状態、温度状態に区分してワイヤレス回路２４へ伝送し、ワイヤレス回路２４は音響状態、照明状態、温度状態を含む室内雰囲気状況をワイヤレス回路１７へ伝送する。
【００２１】
ワイヤレス回路１７は音響状態、照明状態、温度状態を含む室内雰囲気状況を受信した後、室内雰囲気状況データをマイクロプロセッサー１１より分配ユニット１３へ伝送すると、分配ユニット１３は室内雰囲気状況を音響状態、照明状態、温度状態に区分して雰囲気伝送回路１４へ伝送し、雰囲気伝送回路１４は照明状態を照明装置１４０へ伝送し、温度状態を温度装置１４１へ伝送し、また音響状態を音響装置１４２へ伝送して、照明装置１４０がそれに対応する雰囲気照明効果を生み出し、温度装置１４１がそれに対応する雰囲気温度効果を生み出し、そして音響装置１４２がそれに対応する雰囲気音響効果を生み出す。
【００２２】
また、室内雰囲気状況はデータ受信ユニット１５を通して調整を行い、データ受信ユニット１５は調整後の室内雰囲気状況をマイクロプロセッサー２１より分配ユニット１３へ伝送し、分配ユニット１３は室内雰囲気状況を音響状態、照明状態、温度状態に区分してワイヤレス回路２４に伝送すると、ワイヤレス回路２４は音響状態、照明状態、温度状態を含む室内雰囲気状況をワイヤレス回路１７へ伝送し、ワイヤレス回路１７が修正された室内雰囲気状況を受信した後、室内雰囲気状況をマイクロプロセッサー１１より分配ユニット１３へ伝送し、分配ユニット１３を経由して雰囲気伝送回路１４が出力した音響状態、照明状態、温度状態を変更し、接続した照明装置１４０、温度装置１４１、音響装置１４２を変更後の室内雰囲気状況に応じてそれに対応する効果を生み出す。
【００２３】
さらに、調整後の室内雰囲気状況は、センサー回路１０が雰囲気データの収集を行い、光センサー１００、温度センサー１０１及び音響センサー１０２は現在の照明色、照明強度、温湿度の高低、音響タイプ等の雰囲気データをセンサー回路１０からマイクロプロセッサー１１へ伝送した上で、マイクロプロセッサー１１は修正後の音響状態、照明状態、温度状態を保存メモリ１２内に書き込んで新しい室内雰囲気状況を創り出すことができ、調整後の室内雰囲気状況もまたマイクロプロセッサー１１よりワイヤレス回路１７へ伝送され、ワイヤレス回路２４が調整後の室内雰囲気状況を受信すると、マイクロプロセッサー２１は調整後の室内雰囲気状況を保存メモリ２２内に書き込むことができる。
【００２４】
図５に示すのは、本考案のまた別途好ましい実施例のブロック図であり、図から、本考案の室内雰囲気の創造システム１がさらにマイクロプロセッサー１１と電気的に接続する電源管理回路１８を設けて、不要なエネルギーの浪費防止のために、電源管理回路１８が室内雰囲気の創造システム１の各部材の電気節約モードを設定できることがはっきりと分かる。
【００２５】
以上の記述は本考案の好ましい実施例に過ぎず、これをもって本考案の実用新案登録請求範囲を限定するものではなく、従って、本考案の明細書並びに図面の内容を運用して行った簡単な修正及び等価構造変更については、何れも同様の理由で本考案による実用新案登録の範囲内に含まれるものとする。
【符号の説明】
【００２６】
１        室内雰囲気の創造システム
１０      センサー回路
１００    光センサー
１０１    温度センサー
１０２    音響センサー
１１      マイクロプロセッサー
１２      保存メモリ
１３      分配ユニット
１４      雰囲気伝送回路
１４０    照明装置
１４１    温度装置
１４２    音響装置
１５      データ受信ユニット
１６      接続ポート
１７      ワイヤレス回路  
１８      電源管理回路
２        無線リモコン
２１      マイクロプロセッサー
２２      保存メモリ
２３      分配ユニット
２４      ワイヤレス回路
【図１】
0003166460.tif 000003
【図２】
0003166460.tif 000004
【図３】
0003166460.tif 000005
【図４】
0003166460.tif 000006
【図５】
0003166460.tif 000007